(57)【特許請求の範囲】
【請求項１】
スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、
前記制御オリフィスをメインオリフィスとこのメインオリフィスに並列配置されたサブオリフィスとから構成し、
前記導入通路からメインオリフィス及びドレン通路に向かうメイン通路を設けると共に、外周がメイン通路に開口するようにこのメイン通路から分岐してサブオリフィスに向かう環状のサブ通路を設け、
かつ、前記メイン通路が、第１圧力室に配置された筒状のカラー部材とこのカラー部材の外周側に配置された筒状のバッフル部材との間に形成され、このメイン通路の導入通路側の開口面積が拡大するように、カラー部材またはバッフル部材がテーパ状に形成されることによって、メイン通路の途中が絞り通路となっていて、
前記メイン通路からサブ通路に向かう作動流体が、メイン通路から略直角または鋭角に折れ曲がって流れるようにしたことを特徴とする流量制御装置。
【請求項２】
スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、
前記制御オリフィスをメインオリフィスとこのメインオリフィスに並列配置されたサブオリフィスとから構成し、
前記導入通路からメインオリフィス及びドレン通路に向かうメイン通路を設けると共に、外周がメイン通路に開口するようにこのメイン通路から分岐してサブオリフィスに向かう環状のサブ通路を設け、
かつ、前記サブ通路が、吐出通路を形成したコネクタの軸部外周と筒状のカラー部材との間に形成され、前記メイン通路がカラー部材の外周側に形成されてなり、前記カラー部材は薄鋼板材料から形成されていて、
前記メイン通路からサブ通路に向かう作動流体が、メイン通路から略直角または鋭角に折れ曲がって流れるようにしたことを特徴とする流量制御装置。
【請求項３】
スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、
前記制御オリフィスをメインオリフィスとこのメインオリフィスに並列配置されたサブオリフィスとから構成し、
前記導入通路からメインオリフィス及びドレン通路に向かうメイン通路を設けると共に、外周がメイン通路に開口するようにこのメイン通路から分岐してサブオリフィスに向かう環状のサブ通路を設け、
かつ、前記メイン通路が、筒状のカラー部材とこのカラー部材の外周側に配置される筒状のバッフル部材との間に形成され、前記サブ通路が、吐出通路を形成したコネクタの軸部外周と筒状のカラー部材との間に形成されてなり、前記メイン通路の導入通路側の開口面積が拡大するように、カラー部材またはバッフル部材がテーパ状に形成されると共に、前記サブ通路がメイン通路に開口する部分のコネクタの軸部外周にはカラー部材またはバッフル部材のテーパ形状に略一致する傾斜角度のテーパ面が形成されていて、
前記メイン通路からサブ通路に向かう作動流体が、メイン通路から略直角または鋭角に折れ曲がって流れるようにしたことを特徴とする流量制御装置。
【請求項４】
スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、
前記制御オリフィスをメインオリフィスとこのメインオリフィスに並列配置されたサブオリフィスとから構成し、
前記導入通路からメインオリフィス及びドレン通路に向かうメイン通路を設けると共に、外周がメイン通路に開口するようにこのメイン通路から分岐してサブオリフィスに向かう環状のサブ通路を設け、
かつ、前記メインオリフィス及びサブオリフィスが吐出通路を形成したコネクタに形成されると共に、前記コネクタに、このコネクタの軸部外周との間にサブ通路を形成する筒状のカラー部材及び、このカラー部材との間にメイン通路を形成する筒状のバッフル部材が設けられていて、
前記メイン通路からサブ通路に向かう作動流体が、メイン通路から略直角または鋭角に折れ曲がって流れるようにしたことを特徴とする、流量制御装置。
【請求項５】
スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、
前記制御オリフィスをメインオリフィスとこのメインオリフィスに並列配置されたサブオリフィスとから構成し、
前記導入通路からメインオリフィス及びドレン通路に向かうメイン通路を設けると共に、外周がメイン通路に開口するようにこのメイン通路から分岐してサブオリフィスに向かう環状のサブ通路を設け、
かつ、前記メインオリフィス及びサブオリフィスが吐出通路を形成したコネクタに形成されると共に、前記コネクタに、このコネクタの軸部外周との間にサブ通路を形成する筒状のカラー部材及び、このカラー部材との間にメイン通路を形成する筒状のバッフル部材が設けられてなり、前記筒状のカラー部材及び筒状のバッフル部材が一体に形成されていて、
前記メイン通路からサブ通路に向かう作動流体が、メイン通路から略直角または鋭角に折れ曲がって流れるようにしたことを特徴とする流量制御装置。
【請求項６】
スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、
前記制御オリフィスをメインオリフィスとこのメインオリフィスに並列配置されたサブオリフィスとから構成し、
前記導入通路からメインオリフィス及びドレン通路に向かうメイン通路を設けると共に、外周がメイン通路に開口するようにこのメイン通路から分岐してサブオリフィスに向かう環状のサブ通路を設け、
かつ、前記メインオリフィス及びサブオリフィスが吐出通路を形成したコネクタに形成されると共に、前記コネクタに、このコネクタの軸部外周との間にサブ通路を形成する筒状のカラー部材及び、このカラー部材との間にメイン通路を形成する筒状のバッフル部材が設けられてなり、前記筒状のバッフル部材がコネクタに一体に形成されていて、
前記メイン通路からサブ通路に向かう作動流体が、メイン通路から略直角または鋭角に折れ曲がって流れるようにしたことを特徴とする、流量制御装置。
【請求項７】
スプール弁収容穴内に摺動自在に設けられ、このスプール弁収容穴内を第１圧力室と第２圧力室に画成するスプール弁と、
前記第１圧力室に開口し、吐出圧力を導入する導入通路と、
前記吐出圧力が吐出される吐出通路と、
前記第２圧力室に設けられ、前記スプール弁を前記第１圧力室方向へ付勢する制御スプリングと、
前記第２圧力室に開口し、前記吐出圧力をこの第２圧力室に導入する通路と、
前記通路に設けられたオリフィスと、
前記スプール弁収容穴に開口し、前記スプール弁の移動によりその開口面積が制御され、余剰流体が還流されるドレン通路と、
前記第１圧力室に開口し、前記吐出圧力を導入するメイン通路と、
前記メイン通路に連通し、このメイン通路に対して略直角または鋭角に折れ曲がったサブ通路と、
前記メイン通路と前記吐出通路との間に設けられたメインオリフィスと、
前記サブ通路の下流側に設けられると共に、前記メインオリフィスと前記吐出通路との間に連通するサブオリフィスと、を有することを特徴とする流量制御装置。
【請求項８】
請求項７に記載の流量制御装置において、前記メイン通路は流路断面積が徐々に減少するように形成されることを特徴とする流量制御装置。
【請求項９】
スプール弁収容穴内に摺動自在に設けられ、このスプール弁収容穴内を第１圧力室と第２圧力室に画成するスプール弁と、
前記第１圧力室に開口し、吐出圧力を導入する導入通路と、
前記吐出圧力が吐出される吐出通路と、
前記第２圧力室に設けられ、前記スプール弁を前記第１圧力室方向へ付勢する制御スプリングと、
前記第２圧力室に開口し、前記吐出圧力をこの第２圧力室に導入する通路と、
前記通路に設けられたオリフィスと、
前記スプール弁収容穴に開口し、前記スプール弁の移動によりその開口面積が制御され、余剰流体が還流されるドレン通路と、
前記第１圧力室に開口し、前記吐出圧力を導入するとともに、流路断面積が徐々に減少するように設けられたメイン通路と、
前記メイン通路に連通し、このメイン通路に対して略直角または鋭角に折れ曲がったサブ通路と、
前記メイン通路と前記吐出通路との間に設けられたメインオリフィスと、
前記サブ通路に連通され前記メインオリフィスの下流側と合流するサブオリフィスと、を有することを特徴とする流量制御装置。
【発明の詳細な説明】
【０００１】
【発明の属する技術の分野】
この発明は、自動車のパワーステアリング装置等に使用され、パワーソースからこのパワーステアリング装置のアクチュエータに供給される圧力作動流体の流量を、所定流量に制御する流量制御装置に関する。
【０００２】
【従来の技術】
流体を作動媒体として、手動操舵トルクを助勢するパワーステアリング装置にあっては、このパワーステアリング装置に作動流体を供給するパワーソースとして、車両に搭載した内燃機関によって駆動されるポンプを施用することが多い。しかし、一般にパワーステアリング装置は車両の低速走行時または停車時、換言すれば内燃機関の低回転駆動時に十分な操舵助勢力が獲得できることが望まれ、低速走行中よりも接地抵抗の小さい、つまり高回転駆動時には操舵安定性の見地から、然程操舵助勢力を必要としない。したがって、ポンプ出力が内燃機関の回転速度に比例して増加するパワーソースは、そのままでは適用できない。
【０００３】
そこで、通常、パワーステアリング装置には、このパワーステアリング装置に供給される作動流体の流量を、内燃機関のアイドリング乃至は低回転域では十分なパワーステアリング操作が可能なようにポンプからの吐出流体の全量とし、内燃機関の回転速度がある程度高くなった場合には制御オリフィスによって限局された流量に制御し、余剰流体をリザーバに還流させるようにした流量制御装置が施用される。
【０００４】
この種の流量制御装置として、例えば特開昭６２−１５２９６９号公報には、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及び低圧側へ連通するドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置が開示してある。
【０００５】
また、前記流量制御装置は、制御オリフィスが、導入通路からドレン通路に向かう作動流体の流れの方向に対して異なる方向に形成されてなり、内燃機関の回転速度がある程度高くなって導入通路からドレン通路に向かう作動流体が増加した場合には、制御流量をさらに減少させ、所謂フローダウン制御可能となっている。
【０００６】
【発明が解決しようとする課題】
しかしながら、前記従来例にあっては、制御オリフィスが複数個形成されているけれども、ドレン通路に向かう作動流体の流れの影響を受ける部分は制御オリフィスの部分のみである。このため、制御流量を減少させるフローダウン量には限界があり、十分なフローダウン制御が達成できない虞がある。
【０００７】
本発明は斯かる従来の実情に鑑みて案出されたもので、フローダウン制御可能な改良された流量制御装置を提供することを目的とする。
【０００８】
【課題を解決するための手段】
そこで、本発明は、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、前記制御オリフィスをメインオリフィスとこのメインオリフィスに並列配置されたサブオリフィスとから構成し、前記導入通路からメインオリフィス及びドレン通路に向かうメイン通路を設けると共に、外周がメイン通路に開口するようにこのメイン通路から分岐してサブオリフィスに向かう環状のサブ通路を設け、かつ、前記メイン通路が、第１圧力室に配置された筒状のカラー部材とこのカラー部材の外周側に配置された筒状のバッフル部材との間に形成され、このメイン通路の導入通路側の開口面積が拡大するように、カラー部材またはバッフル部材がテーパ状に形成されることによって、メイン通路の途中が絞り通路となっていて、前記メイン通路からサブ通路に向かう作動流体が、メイン通路から略直角または鋭角に折れ曲がって流れるようにした構成にしてある。
【０００９】
また、請求項２記載の発明は、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、前記制御オリフィスをメインオリフィスとこのメインオリフィスに並列配置されたサブオリフィスとから構成し、前記導入通路からメインオリフィス及びドレン通路に向かうメイン通路を設けると共に、外周がメイン通路に開口するようにこのメイン通路から分岐してサブオリフィスに向かう環状のサブ通路を設け、かつ、前記サブ通路が、吐出通路を形成したコネクタの軸部外周と筒状のカラー部材との間に形成され、前記メイン通路がカラー部材の外周側に形成されてなり、前記カラー部材は薄鋼板材料から形成されていて、前記メイン通路からサブ通路に向かう作動流体が、メイン通路から略直角または鋭角に折れ曲がって流れるようにした構成にしてある。
【００１０】
また、請求項３記載の発明は、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、前記制御オリフィスをメインオリフィスとこのメインオリフィスに並列配置されたサブオリフィスとから構成し、前記導入通路からメインオリフィス及びドレン通路に向かうメイン通路を設けると共に、外周がメイン通路に開口するようにこのメイン通路から分岐してサブオリフィスに向かう環状のサブ通路を設け、かつ、前記メイン通路が、筒状のカラー部材とこのカラー部材の外周側に配置される筒状のバッフル部材との間に形成され、前記サブ通路が、吐出通路を形成したコネクタの軸部外周と筒状のカラー部材との間に形成されてなり、前記メイン通路の導入通路側の開口面積が拡大するように、カラー部材またはバッフル部材がテーパ状に形成されると共に、前記サブ通路がメイン通路に開口する部分のコネクタの軸部外周にはカラー部材またはバッフル部材のテーパ形状に略一致する傾斜角度のテーパ面が形成されていて、前記メイン通路からサブ通路に向かう作動流体が、メイン通路から略直角または鋭角に折れ曲がって流れるようにした構成にしてある。
【００１１】
また、請求項４記載の発明は、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、前記制御オリフィスをメインオリフィスとこのメインオリフィスに並列配置されたサブオリフィスとから構成し、前記導入通路からメインオリフィス及びドレン通路に向かうメイン通路を設けると共に、外周がメイン通路に開口するようにこのメイン通路から分岐してサブオリフィスに向かう環状のサブ通路を設け、かつ、前記メインオリフィス及びサブオリフィスが吐出通路を形成したコネクタに形成されると共に、前記コネクタに、このコネクタの軸部外周との間にサブ通路を形成する筒状のカラー部材及び、このカラー部材との間にメイン通路を形成する筒状のバッフル部材が設けられていて、前記メイン通路からサブ通路に向かう作動流体が、メイン通路から略直角または鋭角に折れ曲がって流れるようにした構成にしてある。
【００１２】
また、請求項５記載の発明は、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、前記制御オリフィスをメインオリフィスとこのメインオリフィスに並列配置されたサブオリフィスとから構成し、前記導入通路からメインオリフィス及びドレン通路に向かうメイン通路を設けると共に、外周がメイン通路に開口するようにこのメイン通路から分岐してサブオリフィスに向かう環状のサブ通路を設け、かつ、前記メインオリフィス及びサブオリフィスが吐出通路を形成したコネクタに形成されると共に、前記コネクタに、このコネクタの軸部外周との間にサブ通路を形成する筒状のカラー部材及び、このカラー部材との間にメイン通路を形成する筒状のバッフル部材が設けられてなり、前記筒状のカラー部材及び筒状のバッフル部材が一体に形成されていて、前記メイン通路からサブ通路に向かう作動流体が、メイン通路から略直角または鋭角に折れ曲がって流れるようにした構成にしてある。
【００１３】
また、請求項６記載の発明は、スプール弁収容穴内にスプール弁を摺動自在に収容して、このスプール弁収容穴内を第１圧力室と第２圧力室に画成し、第１圧力室内には、制御オリフィスを介して吐出通路と連通する導入通路及びドレン通路を開口し、第２圧力室内には、吐出通路の圧力を導くと共にスプール弁を第１圧力室側に偏倚する制御スプリングを収装してなり、導入通路から制御オリフィスを介して吐出通路に作動流体の必要流量を導く一方、この必要流量に対する余剰流体をスプール弁の移動によって開閉制御されるドレン通路に還流させる流量制御装置において、前記制御オリフィスをメインオリフィスとこのメインオリフィスに並列配置されたサブオリフィスとから構成し、前記導入通路からメインオリフィス及びドレン通路に向かうメイン通路を設けると共に、外周がメイン通路に開口するようにこのメイン通路から分岐してサブオリフィスに向かう環状のサブ通路を設け、かつ、前記メインオリフィス及びサブオリフィスが吐出通路を形成したコネクタに形成されると共に、前記コネクタに、このコネクタの軸部外周との間にサブ通路を形成する筒状のカラー部材及び、このカラー部材との間にメイン通路を形成する筒状のバッフル部材が設けられてなり、前記筒状のバッフル部材がコネクタに一体に形成されていて、前記メイン通路からサブ通路に向かう作動流体が、メイン通路から略直角または鋭角に折れ曲がって流れるようにした構成にしてある。
【００１４】
また、請求項７記載の発明は、スプール弁収容穴内に摺動自在に設けられ、このスプール弁収容穴内を第１圧力室と第２圧力室に画成するスプール弁と、前記第１圧力室に開口し、吐出圧力を導入する導入通路と、前記吐出圧力が吐出される吐出通路と、前記第２圧力室に設けられ、前記スプール弁を前記第１圧力室方向へ付勢する制御スプリングと、前記第２圧力室に開口し、前記吐出圧力をこの第２圧力室に導入する通路と、前記通路に設けられたオリフィスと、前記スプール弁収容穴に開口し、前記スプール弁の移動によりその開口面積が制御され、余剰流体が還流されるドレン通路と、前記第１圧力室に開口し、前記吐出圧力を導入するメイン通路と、前記メイン通路に連通し、このメイン通路に対して略直角または鋭角に折れ曲がったサブ通路と、前記メイン通路と前記吐出通路との間に設けられたメインオリフィスと、前記サブ通路の下流側に設けられると共に、前記メインオリフィスと前記吐出通路との間に連通するサブオリフィスと、を有する構成にしてある。
【００１５】
また、請求項８記載の発明は、請求項７に記載の発明の構成において、前記メイン通路は流路断面積が徐々に減少するように形成される構成にしてある。
【００１６】
また、請求項９記載の発明は、スプール弁収容穴内に摺動自在に設けられ、このスプール弁収容穴内を第１圧力室と第２圧力室に画成するスプール弁と、前記第１圧力室に開口し、吐出圧力を導入する導入通路と、前記吐出圧力が吐出される吐出通路と、前記第２圧力室に設けられ、前記スプール弁を前記第１圧力室方向へ付勢する制御スプリングと、前記第２圧力室に開口し、前記吐出圧力をこの第２圧力室に導入する通路と、前記通路に設けられたオリフィスと、前記スプール弁収容穴に開口し、前記スプール弁の移動によりその開口面積が制御され、余剰流体が還流されるドレン通路と、前記第１圧力室に開口し、前記吐出圧力を導入するとともに、流路断面積が徐々に減少するように設けられたメイン通路と、前記メイン通路に連通し、このメイン通路に対して略直角または鋭角に折れ曲がったサブ通路と、前記メイン通路と前記吐出通路との間に設けられたメインオリフィスと、前記サブ通路に連通され前記メインオリフィスの下流側と合流するサブオリフィスと、を有する構成にしてある。
【００１７】
斯かる構成にあっては、前記第１圧力室内に導入通路を介してポンプから吐出される作動流体が導かれる。前記第１圧力室内に導かれた作動流体は、メイン通路及びサブ通路から制御オリフィスに導かれ、この制御オリフィスを通過する制限流動と、この制御オリフィスの前後差圧に基づくスプール弁の移動によるドレン通路の解放の際にのみ生じるのであるが、メイン通路からドレン通路を通ってポンプ吸入室及び貯油タンクに逃げる余剰流体流動とに分流される。
【００１８】
前記制御オリフィスを通過する作動流体は、制御オリフィスがメインオリフィス及びこのメインオリフィスに並列配置されたサブオリフィスから構成されているから、これら２種類のオリフィスを通過することになる。この場合に、前記メインオリフィスを通過する作動流体はメイン通路を介して導かれ、サブオリフィスを通過する作動流体はメイン通路から分岐するサブ通路を介して導かれる。
【００１９】
これにより、前記制御オリフィスによる制限の下に必要な流量の作動流体が吐出通路からアクチュエータに導かれ、例えば、パワーステアリング装置にあっては必要な操舵助勢力を得る。
【００２０】
ここで、本発明にあっては、前記メイン通路からサブ通路に向かう流体が、メイン通路から略直角または鋭角に折れ曲がって流れるようにしてある。このため、前記ポンプの低回転領域でドレン通路に還流される作動流体の流量が少ない場合はメイン通路を流れる作動流体の流速が遅く、作動流体はメイン通路及びこのメイン通路から分岐するサブ通路に向かって容易に流れ、メインオリフィス及びサブオリフィスを介して所定流量（Ｑ１）が吐出通路から導かれる。一方、前記ポンプが高回転となってドレン通路に還流される作動流体の流量が増加して、メイン通路を流れる作動流体の流速が早くなると、所謂ベンチュリ効果によってメイン通路からサブ通路に向かう作動流体の流量が減じられることになる。このため、前記制御オリフィスを通過する流量は、ポンプの低回転時における所定流量（Ｑ１）のうち、サブオリフィスを通過する作動流体の流量が減じられ、低減された流量（Ｑ２）に限局される。これによって、前記吐出通路からアクチュエータに導かれる作動流体がフローダウン制御される。このとき、前記サブ通路が環状に形成してあるから、十分なフローダウン量が得られる。
【００２１】
したがって、フローダウン制御可能な改良された流量制御弁が得られる。
【００２２】
また、請求項２記載の発明にあっては、前記メイン通路が、筒状のカラー部材とこのカラー部材の外周側に配置される筒状のバッフル部材との間に形成され、このメイン通路の導入通路側の開口面積が拡大するようにカラー部材またはバッフル部材がテーパ状に形成されることによって、メイン通路の途中が絞り通路となっているから、絞り通路が容易に形成でき、メイン通路を流れる作動流体の流速をより早くして、大きなベンチュリ効果を得ることができる。
【００２３】
また、請求項３記載の発明にあっては、前記サブ通路が、吐出通路を形成したコネクタの軸部外周と筒状のカラー部材との間に形成され、メイン通路がカラー部材の外周側に形成されてなり、カラー部材は薄鋼板材料から形成されているから、メイン通路とサブ通路との間隔が狭くなり、メイン通路から分岐するサブ通路が開口する部分で渦流が発生することを可及的に防止することができる。
【００２４】
また、請求項４記載の発明にあっては、前記メイン通路が、筒状のカラー部材とこのカラー部材の外周側に配置される筒状のバッフル部材との間に形成され、サブ通路が、吐出通路を形成したコネクタの軸部外周と筒状のカラー部材との間に形成されてなり、メイン通路の導入通路側の開口面積が拡大するように、カラー部材またはバッフル部材がテーパ状に形成されると共に、サブ通路がメイン通路に開口する部分のコネクタの軸部外周にはカラー部材またはバッフル部材のテーパ形状に略一致する傾斜角度のテーパ面が形成されているから、サブ通路がメイン通路に開口する部分でメイン通路を流れる流体がテーパ面によって整流化され、大きなベンチュリ効果を得ることができる。
【００２５】
また、請求項５記載の発明にあっては、前記メインオリフィス及びサブオリフィスが吐出通路を形成したコネクタに形成されると共に、コネクタに、このコネクタの軸部外周との間にサブ通路を形成する筒状のカラー部材及び、このカラー部材との間にメイン通路を形成する筒状のバッフル部材が設けられているから、既存の流量制御装置から、コネクタを交換することによってフローダウン制御可能な流量制御装置を容易に得ることができる。
【００２６】
また、請求項６記載の発明にあっては、前記メインオリフィス及びサブオリフィスが吐出通路を形成したコネクタに形成されると共に、コネクタに、このコネクタの軸部外周との間にサブ通路を形成する筒状のカラー部材及び、このカラー部材との間にメイン通路を形成する筒状のバッフル部材が設けられてなり、筒状のカラー部材及び筒状のバッフル部材が一体に形成されているから、部品点数が低減され、部品管理が容易になる。
【００２７】
また、請求項７記載の発明にあっては、前記メインオリフィス及びサブオリフィスが吐出通路を形成したコネクタに形成されると共に、コネクタに、このコネクタの軸部外周との間にサブ通路を形成する筒状のカラー部材及び、このカラー部材との間にメイン通路を形成する筒状のバッフル部材が設けられてなり、筒状のバッフル部材がコネクタに一体に形成されているから、部品点数が削減され、部品管理が容易になる。
【００２８】
【発明の実施の形態】
以下、この発明の実施の形態を、パワーステアリング装置の流量制御弁に適用した態様として、図面に基づいて詳述する。
【００２９】
図１はこの発明の実施の形態を示す流量制御装置の断面図、図２は図１に示すバッフル部材を、正面図（ａ）、正面図（ａ）のＡ−Ｏ−Ａ線断面図（ｂ）で示す図面、図３は図１の要部を拡大して示す断面図である。
【００３０】
図において符番１で示されるハウジングはポンプボディ２と一体に形成してある。前記ハウジング１には一端が封止栓３によって封止されたスプール弁収容穴５が形成され、このスプール弁収容穴５の開口端はシールリング６による封止の下に捩じ込み固定されるコネクタ７によって閉止してある。
【００３１】
前記コネクタ７には、図外のパワーステアリング装置即ちアクチュエータに連通する吐出通路８を設けると共に、スプール弁収容孔５内に突出する軸部９には、吐出通路８とスプール弁収容穴５内部とを連通する制御オリフィス１０が形成してあり、この制御オリフィス１０は軸方向のメインオリフィス１１とこのメインオリフィス１１に並列配置された半径方向のサブオリフィス１２とから構成してある。また、前記コネクタ７には、周溝１３と、この周溝１３の底部に開口して吐出通路８に連通する半径方向の貫通孔１４が形成してあり、この貫通孔１４は軸部９から離れて、コネクタ７の軸方向の略中央位置に形成してある。
【００３２】
前記コネクタ７によって開口端が閉止されたスプール弁収容穴５内には、スプール弁１５が摺動自在に嵌挿されており、このスプール弁１５は、スプール弁収容穴５内部を第１圧力室１６と第２圧力室１７とに画成すると共に、第２圧力室１７内に収装した制御スプリング１８のばね力をもって常時第１圧力室１６側に偏倚され、常態にあって、その胴部（ランド部）で図外のリザーバに連通するドレン通路１９を閉止している。また、前記スプール弁１５によって画成された第１圧力室１６には、ポンプ（図示せず）からの吐出流体（作動流体）を導く導入通路２０が開口している。
【００３３】
また、前記ハウジング１にはスプール弁収容穴５と略平行に盲穴状の通路２１が形成してある。前記通路２１は、その開口端が栓２２によって閉塞されており、一端が感圧オリフィス２３及び斜孔２４を介してコネクタ７の周溝１３に連通し、他端が通路２５を介して第２圧力室内１７に連通している。前記通路２５は第２圧力室１７を直径方向に横切って穿設してあり、その開口端が栓２６で閉塞してある。
【００３４】
前記スプール弁１５には、ドレン通路１９に連通する周溝３０と、この周溝３０の底部に開口する直径方向の貫通孔３１及びこの貫通孔３１に連通して第２圧力室１７に向かって開く軸方向の盲穴３２を設け、この盲穴３２内には、球弁３３をその押子３４と共にチェックスプリング３５で偏倚して中空尾栓３６の弁座３７に適合させたリリーフ弁３８が設けてある。これによって、前記リリーフ弁３８のリリーフ動作で、感圧オリフィス２３を介して第２圧力室１７に導かれる吐出通路８における圧力超過を回避するようにしてある。尚、前記中空尾栓３６の第２圧力室１７側端部にはフィルタ３９が設けてある。
【００３５】
前記制御オリフィス１０のメインオリフィス１１とサブオリフィス１２とのそれぞれには、導入通路２０からメイン通路４１及びサブ通路４２を介して作動流体が導かれるようにしてある。詳しくは、前記メインオリフィス１１にはメイン通路４１を介して作動流体が導かれ、サブオリフィス１２にはメイン通路４１から分岐するサブ通路４２を介して作動流体が導かれるようになっており、メイン通路４１からサブ通路４２に向かう作動流体が、メイン通路４１から略直角または鋭角に折れ曲がって流れるようにしてある。
【００３６】
即ち、この実施の形態においては、前記メイン通路４１が、コネクタ７の軸部９の外周に設けた筒状のカラー部材４３とこのカラー部材４３の外周に配置される筒状のバッフル部材４４との間に環状に形成され、サブ通路４２がコネクタ７の軸部９の外周と筒状のカラー部材４３との間に環状に形成してある。
【００３７】
前記カラー部材４３は薄鋼板材料から単純な筒状に形成され、一端側が軸部９の拡径された基端部に取付けられ、先端側がサブオリフィス１２の開口を覆った状態で軸部９の先端側に延びている。
【００３８】
前記バッフル部材４４は薄鋼板材料から略筒状に形成され、図２に示すように、筒状の一端側外周位置から半径方向内方に向かう複数（この実施の形態においては４本）のリブ４５を備えており、このリブ４５の内端をコネクタ７の軸部９の先端に取付けることによって、カラー部材４３の外周側に配置してある。また、前記バッフル部材４４は、メイン通路４１の導入通路２０側の開口面積が増大するようにテーパ形状に形成してあり、このテーパ形状はこの実施の形態においてカラー部材４３の先端に略対応する位置で終っている。
【００３９】
また、前記軸部９の外周側には、カラー部材４３との間に形成されるサブ通路４２がメイン通路４１に開口する部分に、バッフル部材４４のテーパ形状に略一致する傾斜角度のテーパ面４６が形成してある。
【００４０】
これによって、前記カラー部材４３とバッフル部材４４との間に形成されるメイン通路４１は、環状に形成され、その途中が面積の小さい絞り通路となっており、カラー部材４３の先端に略対応する位置のメイン通路４１の開口面積が最も小さくなっている。前記メイン通路４１は導入通路２０から第１圧力室１６内に導かれた作動流体の全量が通過することになり、その作動流体は制御オリフィス１０に導かれると共に、余剰流体がドレン通路１９に導かれるようになっており、その流れの方向は図１及び図３において右方向となる。
【００４１】
また、前記コネクタ７の軸部９の外周と筒状のカラー部材４３との間に形成されるサブ通路４２は、軸部９に略平行に形成されており、メイン通路４１に開口している。これによって、前記メイン通路４１からサブ通路４２に向かう作動流体は、メイン通路４１からこの実施の形態においては鋭角に折れ曲がり、サブ通路４２内を、図１及び図２において左方向に流れることになる。
【００４２】
斯かる構成によれば、前記導入通路２０から第１圧力室１６内に導かれたポンプ（図示せず）からの吐出流体が、メイン通路４１及びサブ通路４２から、コネクタ７に形成した制御オリフィス１０に導かれ、この制御オリフィス１０を介して吐出通路８に導かれる。
【００４３】
このとき、常態にあっては、前記スプール弁１５は、制御スプリング１８によって第１圧力室１６側に付勢され、その胴部（ランド部）でドレン通路１９を閉塞しており、第１圧力室１６内に導入された作動流体はその全量がメイン通路４１から制御オリフィス１０を介して図外のアクチュエータに導かれる。一方、ポンプの回転速度が増加してポンプからの吐出流量が増加し、第１圧力室１６内に導入される作動流体の流量が増加すると、制御オリフィス１０による制限流動の下に第１圧力室１６内の作動流体がメイン通路４１から吐出通路８に導かれる一方で、この制御オリフィス１０の前後差圧に基づいてスプール弁１５が図１に示す位置から右方向に移動して制御スプリング１８を押し縮めてドレン通路１９を開き、メイン通路４１からドレン通路１９を通って余剰流体を図外のリザーバに還流させる。
【００４４】
前記制御オリフィス１０を通過する作動流体は、制御オリフィス１０がメインオリフィス１１及びこのメインオリフィス１１に並列配置されたサブオリフィス１２から構成されているから、これら２種類のオリフィス１１，１２を通過することになる。この場合に、前記メインオリフィス１１を通過する作動流体はメイン通路４１を介して導かれ、サブオリフィス１２を通過する作動流体はメイン通路４１から分岐するサブ通路４２を介して導かれる。
【００４５】
これにより、前記制御オリフィス１０による制限の下に、必要な流量の作動流体が吐出通路からパワーステアリング装置のアクチュエータに導かれ、必要な操舵助勢力が得られる。
【００４６】
ここで、本発明にあっては、前記メイン通路４１からサブ通路４２に向かう流体が、メイン通路４１から略直角または鋭角に折れ曲がって流れるようにしてある。即ち、前記導入通路２０からメインオリフィス１１及びドレン通路１９に向かう作動流体はメイン通路４１を図１において右方向に流れ、サブオリフィス１２の向かう作動流体は同じく左方向に流れるようにしてあるから、この実施の形態においてはメイン通路４１から鋭角に折れ曲がって流れることになる。
【００４７】
このため、前記ポンプの低回転領域でドレン通路１９に還流される作動流体の流量が少ない場合はメイン通路４１を流れる作動流体の流速が遅く、作動流体はメイン通路４１及びこのメイン通路４１から分岐するサブ通路４２に向かって容易に流れ、メインオリフィス１１及びサブオリフィス１２を介して所定流量（Ｑ１）が吐出通路８から導かれる。一方、前記ポンプが高回転となってドレン通路１９に還流される作動流体の流量が増加して、メイン通路４１を流れる作動流体の流速が早くなると、所謂ベンチュリ効果によってメイン通路４１からサブ通路４２に向かう作動流体の流量が減じられることになる。このため、前記制御オリフィス１０を通過する流量は、ポンプの低回転時における所定流量（Ｑ１）のうち、サブオリフィス１２を通過する作動流体の流量が減じられ、低減された流量（Ｑ２）に限局される。これによって、前記吐出通路８からアクチュエータ（図示せず）に導かれる作動流体がフローダウン制御される。このとき、前記サブ通路４２が環状に形成してあるから、十分なフローダウン量が得られる。
【００４８】
したがって、フローダウン制御可能な改良された流量制御弁が得られる。
【００４９】
また、前記メイン通路４１は環状に形成されてなり、その途中が面積の小さい絞り通路となっているから、メイン通路４１を流れる作動流体の流速をより早くして、大きなベンチュリ効果を得ることができる。
【００５０】
また、前記メイン通路４１が、筒状のカラー部材４３とこのカラー部材４３の外周側に配置される筒状のバッフル部材４４との間に形成され、このメイン通路４１の導入通路２０側の開口面積が拡大するようにバッフル部材４４がテーパ状に形成されされることによって、メイン通路４１の途中が絞り通路となっているから、絞り通路が容易に形成でき、メイン通路４１を流れる作動流体の流速をより早くして、大きなベンチュリ効果を得ることができる。
【００５１】
また、前記サブ通路４２が、吐出通路８を形成したコネクタ７の軸部９の外周と筒状のカラー部材４３との間に形成され、メイン通路４１がカラー部材４３の外周側に形成されてなり、カラー部材４３は薄鋼板材料から形成されているから、メイン通路４１とサブ通路４２との間隔が狭くなり、メイン通路４１から分岐するサブ通路４２の開口部分で渦流が発生することを可及的に防止することができる。
【００５２】
また、前記メイン通路４１が、筒状のカラー部材４３とこのカラー部材４３の外周側に配置される筒状のバッフル部材４４との間に形成され、サブ通路４２が、吐出通路８を形成したコネクタ７の軸部９の外周と筒状のカラー部材４３との間に形成されてなり、メイン通路４１の導入通路２０側の開口面積が拡大するようにバッフル部材４４がテーパ状に形成されると共に、サブ通路４２がメイン通路４１に開口する部分のコネクタ７の軸部９の外周にはバッフル部材４４のテーパ形状に略一致する傾斜角度のテーパ面４６が形成されているから、サブ通路４２がメイン通路４１に開口する部分でメイン通路４１を流れる流体がテーパ面４６によって整流化され、大きなベンチュリ効果を得ることができる。
【００５３】
また、前記メインオリフィス１１及びサブオリフィス１２が吐出通路８を形成したコネクタ７に形成されると共に、コネクタ７に、このコネクタ７の軸部９の外周との間にサブ通路４２を形成する筒状のカラー部材４３及び、このカラー部材４３との間にメイン通路４１を形成する筒状のバッフル部材４４が設けられているから、既存の流量制御装置から、コネクタ７を交換することによってフローダウン制御可能な流量制御装置を容易に得ることができる。
【００５４】
図４及び図５は本発明の別の実施の形態を示す図面で、以下、これらの実施の形態について説明する。尚、説明に際して、前記実施の形態と同一構成部分には同一符号を付し、その重複する説明を省略する。
【００５５】
先ず、図４に示す実施の形態は、前記実施の形態における筒状のカラー部材４３と筒状のバッフル部材４４とを一体に形成してある。
【００５６】
即ち、前記メインオリフィス１１及びサブオリフィス１２が吐出通路８を形成したコネクタ７に形成されると共に、コネクタ７に、このコネクタ７の軸部９の外周との間にサブ通路４２を形成する筒状のカラー部材４３及び、このカラー部材４３との間にメイン通路４１を形成する筒状のバッフル部材４４が設けられ、筒状のカラー部材４３及び筒状のバッフル部材４４が一体に形成してある。この場合に、前記カラー部材４３の先端側が軸方向に延長されてバッフル部材４４と一体化されており、カラー部材４３の延長された部分には開口面積の大きな貫通孔５１が形成してある。
【００５７】
斯かる構成においても、前記実施の形態で述べたと同様の作用及び効果が得られる。加えて、前記カラー部材４３とバッフル部材４４とが一体に形成してあるから、部品点数が削減され、部品管理が容易になる。
【００５８】
次に、図５に示す実施の形態は、前記実施の形態におけるバッフル部材４４がコネクタ７に一体に形成してある。前記バッフル部材４４は筒状に形成されてコネクタ７の端面から軸方向に延びており、その先端側はメイン通路４１の導入通路２０側の開口面積が増大するようにテーパ形状に形成してある。また、前記バッフル部材４４の胴部には導入通路２０に臨む位置に貫通孔５２が形成してあり、この貫通孔５２を介して導入通路２０から作動流体がメイン通路４１に導かれるようになっている。
【００５９】
また、前記実施の形態における軸部９に変えて、メインオリフィス１１及びサブオリフィス１２を形成した中空軸５３を設けて、この中空軸５３をカラー部材４３と共にコネクタ７の軸方向に圧入固定してある。この場合に、前記中空軸５３の中空内部が吐出通路８となっている。
【００６０】
斯かる構成においても、前記実施の形態で述べたと同様の作用及び効果が得られる。加えて、前記バッフル部材４４がコネクタ７に一体に形成してあるから、部品点数が削減され、部品管理が容易になる。
【００６１】
以上、実施の形態を図面に基づいて説明したが、具体的構成はこの実施の形態に限られるものではなく、発明の要旨を逸脱しない範囲で変更可能である。
【００６２】
【発明の効果】
以上、詳細に説明したように、本発明によれば、フローダウン制御可能な改良された流量制御弁が得られる。
【図面の簡単な説明】
【図１】本発明の実施の形態を示す流量制御装置の断面図である。
【図２】図１に示すバッフル部材を、正面図（ａ）、正面図（ａ）のＡ−Ｏ−Ａ線断面図（ｂ）で示す図面である。
【図３】図１の要部を拡大して示す断面図である。
【図４】本発明の別の実施の形態を示す、図３と同様な図面である。
【図５】本発明の別の実施の形態を示す、図３と同様な図面である。
【符号の説明】
５  スプール弁収容穴
８  吐出通路
１０  制御オリフィス
１１  メインオリフィス
１２  サブオリフィス
１５  スプール弁
１６  第１圧力室
１７  第２圧力室
１８  制御スプリング
１９  ドレン通路
２０  導入通路
４１  メイン通路
４２  サブ通路
【図１】
0003704449.tif 000002
【図２】
0003704449.tif 000003
【図３】
0003704449.tif 000004
【図４】
0003704449.tif 000005
【図５】
0003704449.tif 000006